(57)【要約】【課題】麻袋に対して識別タグを片手で簡単に取り付けられるようにすること。【解決手段】棒状部材の一方側が屈曲した保持部１２と、棒状部材の他方側が鋭角に屈曲した突刺部１３と、棒状部材の突刺部側先端１３ａが保持部側先端１２ａの外側に接した状態でかつ間隙部１４を有するように配置された掛止部１５とを備えたタグ取付用フック１０であって、保持部１２に識別タグ５０を保持したフック１０を摘んで突刺部１３を麻袋４０に突き刺した後、これを引き抜くと麻糸４２が間隙部１４を通り抜けて掛止部１５に引っ掛かり、フック１０が麻袋４０に固定されるようにした。【選択図】図２
2009024788.tif 000002
【特許請求の範囲】
【請求項１】
編目を有する袋に識別タグを取り付けるためのタグ取付用フックであって、棒状部材の一方側が屈曲して上記識別タグを保持する保持部と、上記棒状部材の他方側が鋭角に屈曲して上記袋に突き刺す突刺部と、上記棒状部材の突刺部側先端が保持部側先端の外側に接した状態でかつ間隙部を有するように配置されて上記袋の編目に掛止する掛止部と、を備えたことを特徴とするタグ取付用フック。
【請求項２】
上記掛止部は上記棒状部材の突刺部側先端に向かって先細りとなるテーパ加工が施されていることを特徴とする請求項１に記載のタグ取付用フック。
【発明の詳細な説明】
【技術分野】
【０００１】
本発明は、穀物等を詰めた麻袋等に内容物の情報を記録した識別タグを取り付けるためのタグ取付用フックに関する。
【背景技術】
【０００２】
一般に、例えば米や麦などの穀物や、砂糖、コーヒー豆、羊毛、綿花などの産物を出荷する際には、これらの穀物等を麻袋に詰めてその口を紐で縛り、内容物の原産国、種類、重量などの情報を記録した識別タグを取り付けて管理している。また、麻袋に識別タグを取り付ける場合に、従来は図３に示すような市販のスナップフックを利用していた。このスナップフック３０は、同図（ａ）に示すようにステンレス等からなる棒状部材の両側を湾曲させた形状を有し、中央に把持部３１、一端に保持部３２、棒状部材の端部どうしを重ね合わせた掛止部３３を備えている。
【０００３】
そして、麻袋４０に識別タグ５０を取り付ける際には、まず同図（ｂ）に示すようにスナップフック３０の把持部３１を指で挟み付けて掛止部３３を開き、識別タグ５０に開けられた取付孔５１に掛止部３３の先端を通し、保持部３２で識別タグ５０を保持する。次に、同図（ｃ）に示すようにスナップフック３０の掛止部３３を開いた状態で麻袋４０の編目４１を狙って掛止部３３の先端を通し、矢印方向に手首のスナップを利かせて掛止部３３を麻糸４２に引っ掛けるようにする。これにより、同図（ｄ）に示すように識別タグ５０が保持されたスナップフック３０を麻袋４０に取り付けることができる。
【０００４】
ところが、従来のスナップフック３０によると、次のような欠点があった。
１）スナップフック３０に識別タグ５０を取り付ける時、把持部３１を挟み付けた状態で作業しなければならない。
２）麻袋４０の編目４１を狙って掛止部３３の先端を通す作業が難しい。
３）麻袋４０の編目４１を通して麻糸４２に引っ掛ける時にも、把持部３１を挟み付けたままの状態で作業しなければならない。
４）一方の手でスナップフック３０を摘み、他方の手で麻袋４０を掴んでいる必要があるので両手作業になってしまう。
【０００５】
このように、従来のスナップフック３０を利用すると上記のような欠点があるため、例えば穀物等が満杯に詰まって膨らんだ麻袋４０にスナップフック３０を取り付ける場合には特に取付作業に時間が掛かり、大量処理には適していないという問題があった。なお、下記の特許文献には、図３に示したものと同じような構造のスナップフックに関する発明が開示されている。
【０００６】
【特許文献１】特開昭５９−５４８１０号公報
【発明の開示】
【発明が解決しようとする課題】
【０００７】
本発明は、上記のような問題を解決するためになされたものであり、その目的とするところは、麻袋に代表される編目を有する袋に対して識別タグを簡単かつ確実に取り付けることが可能なタグ取付用フックを提供することにある。
【課題を解決するための手段】
【０００８】
上記の目的を達成するため、本発明は、編目を有する袋に識別タグを取り付けるためのタグ取付用フックであって、棒状部材の一方側が屈曲して上記識別タグを保持する保持部と、上記棒状部材の他方側が鋭角に屈曲して上記袋に突き刺す突刺部と、上記棒状部材の突刺部側先端が保持部側先端の外側に接した状態でかつ間隙部を有するように配置されて上記袋の編目に掛止する掛止部と、を備えたことを特徴とする。
【０００９】
また、本発明のタグ取付用フックにおいて、上記掛止部は上記棒状部材の突刺部側先端に向かって先細りとなるテーパ加工が施されていることが好ましい。
【発明の効果】
【００１０】
本発明によれば、タグ取付用フックを摘んで突刺部を麻袋等の編目を有する袋に突き刺した後、これを引き抜くだけで編目を構成する麻糸が間隙部を通り抜けて掛止部に引っ掛かり、これによりフックが袋に確実に固定され、片手で簡単に取り付けることが可能になるので、短時間で大量に識別タグの取付作業を行うことができるという効果がある。
【発明を実施するための最良の形態】
【００１１】
以下、本発明の実施の形態について、図面を参照しながら説明する。
【００１２】
図１は本発明のタグ取付用フックの構成を示す全体図であり、図２は同フックの使用方法を示す説明図である。
【００１３】
図１に示すように、タグ取付用フック１０は、例えば米や麦などの穀物や、砂糖、コーヒー豆、羊毛、綿花などの産物を詰めた麻袋４０に対して、内容物の原産国、種類、重量などの情報を記録した識別タグ５０を取り付けるためのものである。また、識別タグ５０のＵＩＤ（タグ識別コード）のみを読み取るようにして、ＵＩＤに関連付けされた上記の各種情報がホストコンピュータに保存されている運用であってもよい。
【００１４】
タグ取付用フック１０は、ステンレスや樹脂等の錆びにくい材質からなる棒状部材を折り曲げることによって構成されており、同図（ａ）に示すように棒状部材の中央に把持部１１を有している。また、このフック１０には、棒状部材の一方側を略円形に屈曲させて識別タグ５０を保持する保持部１２が設けられているとともに、棒状部材の他方側を略Ｖ字形に屈曲させて麻袋４０に突き刺す突刺部１３が設けられている。さらに、棒状部材の突刺部側先端１３ａは、保持部側先端１２ａの外側に一部がほぼ接した状態でありながら間隙部１４を有するように配置されており、麻袋４０の編目４１に掛止する掛止部１５になっている。
【００１５】
より詳しくは、同図（ｂ）に示すように、突刺部１３の先端の幅Ｗ１が１〜５ｍｍの範囲内に設定されている。その理由は、突刺部１３の幅Ｗ１が１ｍｍ未満であるとステンレス等からなる棒状部材を曲げなければならず加工上困難であり、５ｍｍを超えると麻袋４０の編目４１に通すのが困難になるからである。また、突刺部１３の先端の角度αは１０〜４５°の範囲内に設定されているとよい。その理由は、突刺部１３の角度αが１０°よりも小さいと加工上困難であり、４５°よりも大きいと先端が広がりすぎて麻袋４０の編目４１に通しづらくなるからである。また、突刺部１３の先端はやや丸みを帯びた形状とするのがよい。尖っていると危険であり、取付時の動作で引っ掛かりがあってスムーズにいかない場合が考えられるためである。
【００１６】
さらに、同図（ｃ）に示すように、掛止部１５には棒状部材の突刺部側先端１３ａに向かって先細りとなるテーパ加工が施されている。突刺部側先端１３ａは引きの作業時に編目４１を構成する麻糸４２が間隙部１４をうまく通り抜けるように尖っているとよいが、あまり尖りすぎていると作業時に指に刺さって危険なので、図示したように先端だけ丸みを持たせたテーパ加工とするのがよい。また、掛止部１５において、間隙部１４の幅Ｗ２は麻糸４２の太さに合わせて０．５〜２．０ｍｍ程度に設定されている。
【００１７】
以上がタグ取付用フック１０の構成であるが、以下にその使用方法を説明する。
【００１８】
麻袋４０に識別タグ５０を取り付ける際には、まず図２（ａ）に示すように、タグ取付用フック１０の把持部１１を持ち、識別タグ５０に開けられた取付孔５１に掛止部１５の先端を通し、保持部１２で識別タグを保持する。ここで、掛止部１５は始めから間隙部１４を隔てて配置されているので、図３に示した従来のスナップフック３０のようにわざわざ把持部３１を挟み付けて掛止部３３を開く必要がなく、簡単にタグ５０の取付孔５１に通すことができる。
【００１９】
次に、同図（ｂ）に示すように、タグ取付用フック１０の先端に設けられた突刺部１３を麻袋４０に突き刺す。掛止部１５は先端に向かって先細りとなるテーパ加工が施されているので、麻糸４２を拾いやすくなっている。このため、従来のスナップフック３０のように麻袋４０の編目４１を狙う必要はなく、好きな箇所に突き刺せばよいので、その作業は麻袋４０を持たずに片手で簡単に行うことができる。
【００２０】
次いで、同図（ｃ）に示すように、タグ取付用フック１０を矢印方向に引き抜くようにする。このとき、引っ掛かった麻糸４２はフック１０を引くことで間隙部１４と保持部側先端１２ａの間を容易に通り抜け、掛止部１５の内側に引っ掛かって抜け止めされる。このように、突刺部側先端１３ａにある間隙部１４で引っ掛け、これを引くだけで麻袋４０にフック１０を通すことができ、取り付けた識別タグ５０が間隙部１４付近に来ても外れることがない。
【００２１】
これにより、同図（ｄ）に示すように、識別タグ５０が保持されたタグ取付用フック１０を麻袋４０に取り付けることができる。
【００２２】
このように、本発明のタグ取付用フック１０によれば、把持部１１を摘んで突刺部１３を麻袋４０に突き刺した後、これを引き抜くだけで麻糸４２が掛止部１５に引っ掛かり、フック１０が麻袋４０に確実に取り付けられる。したがって、作業者は片手で簡単にタグ取付用フック１０を取り付けることができ、例えば穀物等が満杯に詰まって膨らんだ麻袋４０に取り付ける場合であっても短時間で取付作業が完了し、迅速に大量処理を行うことができる。
【００２３】
なお、上述した実施形態では麻袋４０を例に挙げて説明したが、本発明のタグ取付用フック１０は、編目を有する袋であれば同様に利用することができる。
【図面の簡単な説明】
【００２４】
【図１】本発明のタグ取付用フックの構成を示す全体図。
【図２】本発明のタグ取付用フックの使用方法を示す説明図。
【図３】従来の識別タグの取付方法を示す説明図。
【符号の説明】
【００２５】
１０…タグ取付用フック
１１…把持部
１２…保持部
１２ａ…保持部側先端
１３…突刺部
１３ａ…突刺部側先端
１４…間隙部
１５…掛止部
Ｗ１…突刺部の幅
Ｗ２…間隙部の幅
α…突刺部の角度
４０…麻袋
４１…編目
４２…麻糸
５０…識別タグ
５１…取付孔
【図１】
2009024788.tif 000003
【図２】
2009024788.tif 000004
【図３】
2009024788.tif 000005